(57)【要約】【課題】スカリとしての使用に適するびくを提供する。【解決手段】網目状筒体１０の下側に、水を溜めることのできる容器部１２を取り付けたびくであって、前記容器部の側壁１２Ｈの上端部からフランジ部１２Ｆを内側に向かって延設させ、前記網目状筒体の下方部１０Ｆを内側に折り曲げ、該網目状筒体の折り曲げ位置付近を、前記側壁の前記上端部近くのフランジ部１２Ｆの上側に位置させて重合させていると共に止着する。【選択図】図２
2008035703.tif 000002
【特許請求の範囲】
【請求項１】
網目状筒体の下側に、水を溜めることのできる容器部を取り付けたびくであって、前記容器部の側壁の上端部からフランジ部を内側に向かって延設させ、前記網目状筒体の下方部を内側に折り曲げ、該網目状筒体の折り曲げ位置付近を、前記側壁の前記上端部近くのフランジ部の上側に位置させて重合させていると共に止着したことを特徴とするびく。
【請求項２】
前記フランジ部又は網目状ではない第３の部材によって前記下方部を包んでなる請求項１記載のびく。
【請求項３】
前記下方部には、該下方部の周方向に沿って紐状又は帯状の部材を一体化させている請求項１又は２記載のびく。
【発明の詳細な説明】
【技術分野】
【０００１】
本発明は、釣りにおいて魚を生かした状態で運搬できると共に、水中につけて外部との間で水が出入り可能なびくに関する。
【背景技術】
【０００２】
釣りにおいて、魚を生かした状態で運搬できると共に、水中につけて外部との間で水が出入り可能なびくについては、例えば、下記特許文献にその構造が開示されている。これらには、上側の網目状筒体と下側の容器部との接続構造が開示されている。
【特許文献１】実願昭５２−１７０６９４号公報
【特許文献２】実願昭５３−９９１号公報
【特許文献３】実願昭５７−４３０６４号公報
【発明の開示】
【発明が解決しようとする課題】
【０００３】
びくの種類中にも、高い岸壁等の上から海中に投げ込んでおき、魚が釣れた度に引き上げて獲物の魚を入れるスカリとも呼ばれるものがあり、このびくの場合は、引き上げの際に岸壁を擦りながら引き上げるので、びくの何処かが岸壁に引っ掛かる虞がある。上記特許文献１や３の構造では、網目状筒体と容器部との接続部において、下側の容器部の上端部が上側の網目状筒体の側面に対して明確に外方に突出する接続構造となっている。従って、スカリとして使用するびくとしては適切な構造ではない。
依って解決しようとする課題は、スカリとしての使用に適するびくの提供である。
【課題を解決するための手段】
【０００４】
第１の発明では、網目状筒体の下側に、水を溜めることのできる容器部を取り付けたびくであって、前記容器部の側壁の上端部からフランジ部を内側に向かって延設させ、前記網目状筒体の下方部を内側に折り曲げ、該網目状筒体の折り曲げ位置付近を、前記側壁の前記上端部近くのフランジ部の上側に位置させて重合させていると共に止着したことを特徴とするびくを提供する。
【０００５】
第２の発明では、第１の発明のフランジ部又は網目状ではない第３の部材によって前記下方部を包むように構成する。
第３の発明では、第１や第２の発明の下方部には、該下方部の周方向に沿って紐状又は帯状の部材を一体化させているよう構成する。
【発明の効果】
【０００６】
第１の発明では、網目状筒体側の下方部と容器部側のフランジ部とが内側に向かっているので、両部材の接合構造部はびくの外側に突出することなく内側に設けられており、また、網目状筒体の折り曲げ位置付近を、容器部側壁の上端部近くのフランジ部の上側に位置させて重合させていると共に止着しているため、びくを引き上げる際に、容器部に水や魚の荷重が作用しても、容器部の側壁上端部の露出部分を小さくでき、引き上げの際の引っ掛かりを防止できる。
【０００７】
第２の発明では、網目状筒体の下方部はびくの内側に出ているため、特にびくの引き上げの際に、この下方部の網目に魚のエラ等が引っ掛かり易い。これを防止するために、容器部のフランジ部又は網目状ではない第３の部材によってこれを包む。
第３の発明では、網目状筒体の下方部に対し、その周方向に沿って紐状又は帯状の部材を一体化させ、網目状筒体の下方部を補強して、びくを引き上げたり、吊るしたりした場合の容器部内の水や魚の荷重に対して、接合部の耐久性を保持可能に構成している。
【発明を実施するための最良の形態】
【０００８】
以下、本発明を添付図面に示す実施形態例に基づき更に詳細に説明する。図１は本発明に係るびくをスカリとして使用可能に構成した全体図であり、図２は図１の矢視線Ｂ−Ｂによる縦断面拡大図である。水の漏れない材料による容器部１２を底部とし、その上側に網目状筒体１０を接続連結しており、この網目状筒体１０の上端部には、図示していない蓋部材が設けられており、例えばチャック式に開閉可能に装着されている。この蓋部材の上にはハンドル部２０が装着されており、ここを持って運搬が可能であると共に、このハンドル部にはロープ３０が連結されており、びくを高い岸壁の上から吊るして海中につけることができるように構成されている。また、長いロープを収納するために、巻取り具４０を設けている。
【０００９】
容器部１２は、例えばＥＶＡ（エチレン酢酸ビニル共重合体）のシートで形成できる。この例では網目状筒体１０も合成樹脂製である。容器部の側壁１２Ｈの上端部からフランジ部１２Ｆを内側に向かって延設させている。一方、網目状筒体１０の下方部１０Ｆは内側に折り曲げており、少なくとも、この折り曲げ位置付近の部位を、前記側壁１２Ｈの上端部近くのフランジ部１２Ｆの上側に重合させて縫製等によって止着している。従って、後述する止着部Ｓ３は、他の止着部Ｓ２と共に下方部１０Ｆとフランジ部１２Ｆとの止着部であるが、前者止着部Ｓ３の位置は、側壁１２Ｈの上端部に近く位置させて、びくの引き上げの際の荷重によって、容器部の側壁１２Ｈに対して止着部Ｓ３よりも上側の網目状筒体１０が相対的に上方に引かれ、側壁１２Ｈの上端部が網目状筒体１０の周壁に対して外側に大きく突出しないようにする必要がある。
【００１０】
網状筒体の下方部の端部を補強するために、該下方部１０Ｆの円周方向に沿って下方部の端部を折り返して、前記下方部１０Ｆの円周方向に沿って設けた組紐からなる紐状部材１４を包み込み、該下方部の折り返し縁部を、該下方部１０Ｆの途中部とフランジ部１２Ｆと共に止着部Ｓ２として止着している他に、この紐状部材１４と下方部１０Ｆの折り返し部分とを一体的に縫製している。この止着部をＳ１としている。この紐状部材１４は組紐であるため、縫製糸が組紐の糸と良く絡み、強い一体化が成され得る。しかし、組紐以外の紐状部材でもよく、また、種々の材料の帯状部材でもよい。但し、縫製する場合は縫製可能な部材である必要がある。また、止着するためには、縫製以外にも溶着等もあり、この溶着の場合は、溶着可能な合成樹脂材である必要がある。この縫製と溶着のことは、他の止着部Ｓ２，Ｓ３の場合も同様である。
【００１１】
以上のように、容器部１２と網目状筒体１０との接合部がびくの内側に設けられているため、魚を入れる際やびくを引き上げる際、魚のヒレ等が網目状筒体１０の下方部１０Ｆの網目に引っ掛かる虞が強い。そこで、この下方部１０Ｆを覆うことが好ましく、合成樹脂シート等から成る網目状になっていない帯状の第３の部材１６を図２のように折り曲げて下方部１０Ｆとフランジ部１２Ｆとを一緒に包み込み、これらを第３の部材の両縁部と共に縫製によって止着部Ｓ３として止着している。
【００１２】
しかし、上記第３の部材１６に代えて、フランジ部１２Ｆの延設している幅（図２に断面で表しているフランジ部長さ）を更に長くして、この幅の長いフランジ部を折り返して下方部１０Ｆを包み込んで止着してもよい。
本第１の発明と第２の発明では、上記紐状部材１４又はこれに代わる帯状部材は無くてもよい。
【産業上の利用可能性】
【００１３】
本発明は魚を生かした状態で運搬できると共に、水中につけて外部との間で水の出入り可能なびくに利用でき、特にスカリとして利用する場合効果的である。
【図面の簡単な説明】
【００１４】
【図１】図１は本発明に係るびくをスカリとして使用する際の全体図である。
【図２】図２は図１の矢視線Ｂ−Ｂによる縦断面拡大図である。
【符号の説明】
【００１５】
１０                    網目状筒体
１０Ｆ                  下方部
１２                    容器部
１２Ｆ                  フランジ部
１６                    第３の部材
【図１】
2008035703.tif 000003
【図２】
2008035703.tif 000004